(57)【要約】【課題】複数の教室や空間的に離れた複数拠点間での単独の教師による合同授業を行うことができるようにする。【解決手段】教師のいる教室の教師端末２１と当該教室の各学習者端末７１及び残りの教室の各学習者端末７１との間に音声通信制御装置４０の切替スイッチを通して各種回線経路を形成し、ネットワーク装置５０を介して当該教室における音声通信制御装置４０の切替スイッチの切り替えを制御するとともに、ネットワーク装置５０及びルータ装置５１を介して他の教室における音声通信制御装置４０の切替スイッチの切り替えを制御する。これによって、教師端末２１と全学習者端末７１或いは任意の１ないし複数の学習者端末との間で一方向の音声送信、音声の受信、双方向の音声の送信、音声の受信を行うことにより、複数の教室や空間的に離れた複数拠点間での単独の教師による合同授業を可能にする。【選択図】　図１
2004126209.tif 000002
【特許請求の範囲】
【請求項１】
教師端末と複数台の学習者端末とをネットワーク装置を介して接続するとともに、前記教師端末に接続される音声入出力装置と前記学習者端末それぞれに接続される音声入出力装置とを音声通信制御装置を介して接続してなる授業支援装置を各教室に設置し、前記各教室における前記ネットワーク装置同志を相互接続装置を介して接続するとともに、前記各教室における前記音声通信制御装置同志を順番に接続して構成される授業支援システムであって、
前記教師端末からの指示に基づき、前記ネットワーク装置を介して当該教室における音声通信制御装置の切替スイッチの切り替えを制御するとともに、前記ネットワーク装置及び前記相互接続装置を介して他の教室における音声通信制御装置の切替スイッチの切り替えを制御する音声通信制御手段を備えたことを特徴とする授業支援システム。
【請求項２】
前記音声通信制御手段は、任意の教室Ｘにおける前記教師端末の音声入出力装置により入力した教師音声を、前記教室Ｘにおける前記音声通信制御装置及び残りの全ての教室における前記音声通信制御装置の切替スイッチの切り替え制御を行うことにより、前記教室Ｘ及び残りの全ての教室における前記学習者端末の音声入出力装置に送信する制御を行うことを特徴とする請求項１に記載の授業支援システム。
【請求項３】
前記音声通信制御手段は、任意の教室Ｘにおける前記教師端末の音声入出力装置により入力した教師音声を、前記教室Ｘにおける前記音声通信制御装置及び残りの全ての教室における前記音声通信制御装置の切替スイッチの切り替え制御を行うことにより、前記教室Ｘを含めて任意の１ないし複数の限定された教室における任意の１ないし複数の限定された前記学習者端末の音声入出力装置に送信する制御を行うことを特徴とする請求項１に記載の授業支援システム。
【請求項４】
前記音声通信制御手段は、任意の教室Ｘにおける任意かつ単独の前記学習者端末の音声入出力装置により入力した学習者音声を、前記教室Ｘにおける前記音声通信制御装置及び残りの全ての教室における前記音声通信制御装置の切替スイッチの切り替え制御を行うことにより、前記教室Ｘを含めて任意の教室における前記教師端末の音声入出力装置に送信する制御を行うことを特徴とする請求項１に記載の授業支援システム。
【請求項５】
前記音声通信制御手段は、任意の教室Ｘにおける任意の１ないし複数の限定された前記学習者端末の中の任意の１台の学習者端末の音声入出力装置により入力した学習者音声を、前記教室Ｘにおける前記音声通信制御装置及び残りの全ての教室における前記音声通信制御装置の切替スイッチの切り替え制御を行うことにより、任意の教室Ｙにおける前記教師端末の音声入出力装置に送信する制御を行うことを特徴とする請求項１に記載の授業支援システム。
【請求項６】
前記音声通信制御手段は、任意の教室Ｘにおける任意の１ないし複数の限定された前記学習者端末の中の任意の１台の学習者端末の音声入出力装置により入力した学習者音声を、前記教室Ｘにおける前記音声通信制御装置の切替スイッチの切り替え制御を行うことにより、前記教室Ｘにおける前記教師端末の音声入出力装置に送信する制御を行うことを特徴とする請求項１に記載の授業支援システム。
【請求項７】
前記音声通信制御手段は、任意の教室Ｘにおける前記音声通信制御装置の切替スイッチの切り替え制御、及び、残りの教室の中の任意の教室Ｙにおける前記音声通信制御装置及びさらに残りの教室における全ての音声通信制御装置の切替スイッチの切り替え制御を行うことにより、前記教室Ｘにおける前記教師端末の音声入出力装置により入力した教師音声を前記教室Ｙにおける任意かつ単独の前記学習者端末の音声入出力装置に送信し、また、前記教室Ｙにおける任意かつ単独の前記学習者端末の音声入出力装置により入力した学習者音声を前記教室Ｘにおける前記教師端末の音声入出力装置に送信する制御を行うことを特徴とする請求項１に記載の授業支援システム。
【請求項８】
前記音声通信制御手段は、任意の教室Ｘにおける前記音声通信制御装置の切替スイッチの切り替え制御、及び、残りの教室の中の任意の教室Ｙにおける前記音声通信制御装置及びさらに残りの教室における全ての音声通信制御装置の切替スイッチの切り替え制御を行うことにより、前記教室Ｘにおける前記教師端末の音声入出力装置により入力した教師音声を前記教室Ｙにおける任意の１ないし複数の限定された前記学習者端末の中の任意の１台の学習者端末の音声入出力装置に送信し、また、前記教室Ｙにおける前記限定された学習者端末の中の任意の１台の学習者端末の音声入出力装置により入力した学習者音声を前記教室Ｘにおける前記教師端末の音声入出力装置に送信する制御を行うことを特徴とする請求項１に記載の授業支援システム。
【請求項９】
前記音声通信制御手段は、任意の教室Ｘにおける前記音声通信制御装置の切替スイッチの切り替え制御を行うことにより、前記教室Ｘにおける前記教師端末の音声入出力装置により入力した教師音声を、前記教室Ｘにおける任意の１ないし複数の限定された前記学習者端末の中の任意の１台の学習者端末の音声入出力装置に送信し、また、前記教室Ｘにおける前記限定された学習者端末の中の任意の１台の学習者端末の中の音声入出力装置により入力した学習者音声を前記教室Ｘにおける前記教師端末の音声入出力装置に送信する制御を行うことを特徴とする請求項１に記載の授業支援システム。
【請求項１０】
前記音声通信制御手段は、任意の教室Ｘにおける前記音声通信制御装置の切替スイッチの切り替え制御、及び、任意の教室Ｙにおける前記音声通信制御装置及びさらに残りの全ての教室における前記音声通信制御装置の切替スイッチの切り替え制御を行うことにより、前記教室Ｘにおける前記教師端末の音声入出力装置により入力した教師音声を前記教室Ｙにおける任意かつ単独の前記学習者端末の音声入出力装置に送信するとともに、前記教室Ｙにおける残りの全ての前記学習者端末の音声入出力装置に送信し、また、前記教室Ｙにおける前記任意かつ単独の学習者端末の音声入出力装置により入力した学習者音声を前記教室Ｙにおける残りの全ての前記学習者端末の音声入出力装置に送信するとともに前記教室Ｘにおける前記教師端末の音声入出力装置に送信する制御を行うことを特徴とする請求項１に記載の授業支援システム。
【請求項１１】
前記音声通信制御手段は、任意の教室Ｘにおける前記音声通信制御装置の切替スイッチの切り替え制御、及び、任意の教室Ｙにおける前記音声通信制御装置及びさらに残りの全ての教室における前記音声通信制御装置の切替スイッチの切り替え制御を行うことにより、前記教室Ｘにおける前記教師端末の音声入出力装置により入力した教師音声を前記教室Ｙにおける任意の１ないし複数の限定された前記学習者端末の音声入出力装置に送信するとともに前記教室Ｙにおける残りの全ての前記学習者端末の音声入出力装置に送信し、また、前記教室Ｙにおける前記限定された複数の前記学習者端末の中の任意の１台の音声入出力装置により入力した学習者音声を前記教室Ｙにおける前記学習者音声を入力している学習者端末を除いた残りの全ての学習者端末の音声入出力装置に送信するとともに前記教室Ｘにおける前記教師端末の音声入出力装置に送信する制御を行うことを特徴とする請求項１に記載の授業支援システム。
【請求項１２】
前記音声通信制御手段は、任意の教室Ｘにおける前記音声通信制御装置の切替スイッチの切り替え制御することにより、前記教室Ｘにおける前記教師端末の音声入出力装置により入力した教師音声を前記教室Ｘにおける全ての前記学習者端末の音声入出力装置に送信し、また、前記教室Ｘにおける任意の１ないし複数の限定した前記学習者端末の音声入出力装置の中の任意の１台の学習者端末の音声入出力装置により入力した学習者音声を前記教室Ｘにおける前記学習者音声を入力している学習者端末を除いた残りの全ての学習者端末の音声入出力装置に送信するともに前記教室Ｘにおける前記教師端末の音声入出力装置に送信する制御を行うことを特徴とする請求項１に記載の授業支援システム。
【請求項１３】
前記音声通信制御手段は、任意の教室Ｘにおける前記教師端末から前記教室Ｘを含む任意の教室Ｙにおける少なくとも１台以上の前記学習者端末を指定する選択手段を有することを特徴とする請求項２ないし１２のいずれかに記載の授業支援システム。
【請求項１４】
前記学習者端末から任意の教室の前記教師端末に通話意思を通知する通話要求手段を有することを特徴とする請求項７ないし１２のいずれかに記載の授業支援システム。
【請求項１５】
前記教師端末の音声通信制御装置に接続された少なくとも１台以上の音響機器を設け、前記音声通信制御手段は、任意の教室Ｘにおける前記音声通信制御装置及び残りの全ての教室における前記音声通信制御装置の切替スイッチの切り替え制御を行うことにより、前記教室Ｘにおける前記音響機器から入力した音声信号を前記教室Ｘ及び残りの全ての教室における前記学習者端末の音声入出力装置に送信する制御を行うことを特徴とする請求項１に記載の授業支援システム。
【請求項１６】
前記教師端末の音声通信制御装置に接続された少なくとも１台以上の音響機器を設け、前記音声通信制御手段は、任意の教室Ｘにおける前記音声通信制御装置及び残りの全ての教室における前記音声通信制御装置の切替スイッチの切り替え制御を行うことにより、前記教室Ｘにおける前記音響機器から入力した音声信号を前記教室Ｘを含めて任意の１ないし複数の限定された教室における１ないし複数の限定された前記学習者端末の音声入出力装置に送信する制御を行うことを特徴とする請求項１に記載の授業支援システム。
【請求項１７】
教師端末と複数台の学習者端末とをネットワーク装置を介して接続するとともに、前記教師端末に接続される音声入出力装置と前記学習者端末それぞれに接続される音声入出力装置とを音声通信制御装置を介して接続してなる授業支援装置を各教室に設置し、前記各教室における前記ネットワーク装置同志を相互接続装置を介して接続するとともに、特定の教室における前記音声通信制御装置と残りの全ての教室における前記音声通信制御装置とを接続して構成される授業支援システムであって、
前記特定の教室の教師端末からの指示に基づき、前記ネットワーク装置を介して当該教室における音声通信制御装置の切替スイッチの切り替えを制御するとともに、前記ネットワーク装置及び前記相互接続装置を介して他の教室における音声通信制御装置の切替スイッチの切り替えを制御する音声通信制御手段を備えたことを特徴とする授業支援システム。
【請求項１８】
前記音声通信制御手段は、前記特定の教室における前記教師端末の音声入出力装置により入力した教師音声を、前記特定の教室における前記音声通信制御装置及び残りの全ての教室における前記音声通信制御装置の切替スイッチの切り替え制御を行うことにより、前記特定の教室及び残りの全ての教室における前記学習者端末の音声入出力装置に送信する制御を行うことを特徴とする請求項１７に記載の授業支援システム。
【請求項１９】
前記音声通信制御手段は、前記特定の教室における前記教師端末の前記音声入出力装置により入力した教師音声を、前記特定の教室における前記音声通信制御装置及び残りの１ないし複数の限定された教室における前記音声通信制御装置の切替スイッチの切り替え制御を行うことにより、前記特定の教室を含めて任意の１ないし複数の限定された教室における任意の１ないし複数の限定された前記学習者端末の音声入出力装置に送信する制御を行うことを特徴とする請求項１７に記載の授業支援システム。
【請求項２０】
前記音声通信制御手段は、前記特定の教室以外の任意の教室Ｘにおける任意かつ単独の前記学習者端末の音声入出力装置或いは任意の教室Ｙにおける任意かつ単独の前記学習者端末の音声入出力装置により入力した学習者音声を、前記特定の教室における前記音声通信制御装置、前記教室Ｘにおける前記音声通信制御装置及び前記教室Ｙにおける前記音声通信制御装置の切替スイッチの切り替え制御を行うことにより、前記特定の教室における前記教師端末の音声入出力装置に送信する制御を行うことを特徴とする請求項１７に記載の授業支援システム。
【請求項２１】
前記音声通信制御手段は、任意の教室Ｘにおける任意の１ないし複数の限定された前記学習者端末の中の任意の１台の学習者端末の音声入出力装置或いは任意の教室Ｙにおける任意の１ないし複数の限定された前記学習者端末の中の任意の１台の学習者端末の音声入出力装置により入力した学習者音声を、前記特定の教室における前記音声通信制御装置、前記教室Ｘにおける前記音声通信制御装置及び前記教室Ｙにおける前記音声通信制御装置の切替スイッチの切り替え制御を行うことにより、前記特定の教室における前記教師端末の音声入出力装置に送信する制御を行うことを特徴とする請求項１７に記載の授業支援システム。
【請求項２２】
前記音声通信制御手段は、前記特定の教室における任意の１ないし複数の限定された前記学習者端末の音声入出力装置により入力した学習者音声を、前記特定の教室における前記音声通信制御装置の切替スイッチの切り替え制御を行うことにより、前記特定の教室における前記教師端末の音声入出力装置に送信する制御を行うことを特徴とする請求項１７に記載の授業支援システム。
【請求項２３】
前記音声通信制御手段は、前記特定の教室における前記音声通信制御装置の切替スイッチの切り替え制御、及び、残りの教室における任意の１ないし複数の限定された教室における前記音声通信制御装置の切替スイッチの切り替え制御を行うことにより、前記特定の教室における前記教師端末の音声入出力装置により入力した教師音声を前記任意の１ないし複数の限定された教室における任意かつ単独の前記学習者端末の音声入出力装置に送信し、また、前記任意の１ないし複数の限定された教室における任意かつ単独の前記学習者端末の音声入出力装置により入力した学習者音声を前記特定の教室における前記教師端末の音声入出力装置に送信する制御を行うことを特徴とする請求項１７に記載の授業支援システム。
【請求項２４】
前記音声通信制御手段は、前記特定の教室における前記音声通信制御装置の切替スイッチの切り替え制御を行うことにより、前記特定の教室における前記教師端末の音声入出力装置により入力した教師音声を前記特定の教室における任意の１ないし複数の限定された前記学習者端末の音声入出力装置に送信し、また、前記特定の教室における任意の１ないし複数の限定された前記音声入出力装置により入力した学習者音声を前記特定の教室における前記教師端末の音声入出力装置に送信する制御を行うことを特徴とする請求項１７に記載の授業支援システム。
【請求項２５】
前記音声通信制御手段は、前記特定の教室における前記音声通信制御装置の切替スイッチの切り替え制御、残りの任意の１ないし複数の限定された教室における前記音声通信制御装置及び前記限定された教室以外の残りの全ての教室における前記音声通信制御装置の切替スイッチの切り替え制御を行うことにより、前記特定の教室における前記教師端末の音声入出力装置により入力した教師音声を前記限定された教室における任意かつ単独の前記学習者端末の音声入出力装置に送信するとともに、前記残りの全ての教室における前記学習者端末の音声入出力装置に送信し、また、前記限定された教室における任意かつ単独の前記学習者端末の音声入出力装置により入力した学習者音声を前記特定の教室における前記教師端末の音声入出力装置に送信し、前記学習者音声を入力している学習者端末を除いた前記限定された教室における前記学習者端末に送信するとともに、前記残りの全ての教室における前記学習者端末の音声入出力装置に送信する制御を行うことを特徴とする請求項１７に記載の授業支援システム。
【請求項２６】
前記音声通信制御手段は、前記特定の教室における前記音声通信制御装置の切替スイッチの切り替え制御を行うことにより、前記特定の教室における前記教師端末の音声入出力装置により入力した教師音声を前記特定の教室における全ての前記学習者端末の音声入出力装置に送信し、また、前記特定の教室における任意の１ないし複数の限定された前記学習者端末の中の任意の１台の学習者端末の音声入出力装置により入力した学習者音声を前記特定の教室における前記学習者音声を入力している学習者端末を除いた残りの全ての学習者端末の音声入出力装置に送信するともに前記教師端末の音声入出力装置に送信する制御を行うことを特徴とする請求項１７に記載の授業支援システム。
【請求項２７】
前記特定の教室における前記教師端末の音声通信制御装置に接続された少なくとも１台以上の音響機器を設け、前記音声通信制御手段は、前記特定の教室における前記音声通信制御装置及び残りの全ての教室における前記音声通信制御装置の切替スイッチの切り替え制御を行うことにより、前記特定の教室における前記音響機器から入力した音声信号を前記特定の教室及び残りの全ての教室における前記学習者端末の音声入出力装置に送信する制御を行うことを特徴とする請求項１７に記載の授業支援システム。
【請求項２８】
前記特定の教室における前記教師端末の音声通信制御装置に接続された少なくとも１台以上の音響機器を設け、前記音声通信制御手段は、前記特定の教室における前記音声通信制御装置及び任意の１ないし複数の限定された教室における前記音声通信制御装置の切替スイッチの切り替え制御を行うことにより、前記特定の教室における前記音響機器から入力した音声信号を前記特定の教室を含めた任意の限定された複数の教室における任意の１ないし複数の限定された前記学習者端末の音声入出力装置に送信する制御を行うことを特徴とする請求項１７に記載の授業支援システム。
【発明の詳細な説明】
【０００１】
【発明の属する技術分野】
本発明は、コンピュータネットワークシステム上に構築され、複数の教室や遠隔地間での合同授業などを支援するための授業支援システムに関する。
【０００２】
【従来の技術】
従来、外国語及び母国語学習或いはコンピュータを使用した授業を支援するシステムとしては、語学学習システムやパソコン教室のＣＡＩシステムが知られている。例えば、語学学習システムの一例として特許文献１に記載されたものが知られている。
【０００３】
図１２は従来の語学学習システムの構成例を示したブロック図である。図１２において、パーソナルコンピュータなどの教師端末５２１及び複数の学習者端末５７１がＬＡＮケーブル５０５を介してネットワーク装置５５０に接続されるとともに、教材及び学習者データなどを蓄積したサーバなどの大容量外部記憶装置５３０がＬＡＮケーブル５０５を介してネットワーク装置５５０に接続されている。また、教師端末５２１及び複数の学習者端末５７１にはヘッドセット５０１が接続された音声入出力装置５１１及び複数の音声入出力装置５６１が接続され、これら音声入出力装置はそれぞれ音声通信制御装置５４０にアナログ線５０４を介して接続されて、語学学習システムが構成されている。
【０００４】
このような語学学習システムを運用する場合、教師は教師端末５２１を操作して各学習者端末５７１に対して状態制御を行ったり、大容量外部記憶装置５３０を制御して教材などを配信したり、音声通信制御装置５４０を制御してヘッドセット５０１及び音声入出力装置５１１及び各音声入出力装置５６１を介して教師と学習者間の相互通話を行ったり、或いは、学習者間で相互通話を行うことができる。
【０００５】
また、各学習者端末５７１からネットワーク装置５５０を介して大容量外部記憶装置５３０に蓄積されている教材や学習者データに直接アクセスすることも可能である。さらに各学習者端末５７１から教師端末５２１に通話要求を行うことも可能である。
【０００６】
【特許文献１】
特開平３−１６６５８５号公報
【０００７】
【発明が解決しようとする課題】
しかしながら、上記従来の語学学習システムにおいては、制御の範囲が１教室に限定され、複数の教室にわたる広範囲の制御ができないため、複数の教室間や空間的に離れた複数拠点での単独の教師による合同授業を行うことができないという問題があった。
【０００８】
本発明は、上記課題を解決するためになされたもので、その目的は、複数の教室や空間的に離れた複数拠点間での単独の教師による合同授業を行うことが可能な授業支援システムを提供することにある。
【０００９】
【課題を解決するための手段】
本発明に係る授業支援システムは、教師端末と複数台の学習者端末とをネットワーク装置を介して接続するとともに、前記教師端末に接続される音声入出力装置と前記学習者端末それぞれに接続される音声入出力装置とを音声通信制御装置を介して接続してなる授業支援装置を各教室に設置し、前記各教室における前記ネットワーク装置同志を相互接続装置を介して接続するとともに、前記各教室における前記音声通信制御装置同志を順番に接続して構成される授業支援システムであって、前記教師端末からの指示に基づき、前記ネットワーク装置を介して当該教室における音声通信制御装置の切替スイッチの切り替えを制御するとともに、前記ネットワーク装置及び前記相互接続装置を介して他の教室における音声通信制御装置の切替スイッチの切り替えを制御する音声通信制御手段を備えたことを特徴とする。
【００１０】
上記構成では、教師のいる教室の教師端末と当該教室の学習者端末及び残りの学習者端末との間に音声通信制御装置の切替スイッチを通して各種回線経路を形成し、教師端末と全学習者端末或いは任意の１ないし複数の学習者端末との間で一方向の音声の送信、音声の受信、双方向の音声の送信、音声の受信を行うことが可能となる。これにより、複数の教室や空間的に離れた複数拠点間での単独の教師による合同授業を行うことができる。
【００１１】
また、前記音声通信制御手段は、任意の教室Ｘにおける前記教師端末の音声入出力装置により入力した教師音声を、前記教室Ｘにおける前記音声通信制御装置及び残りの全ての教室における前記音声通信制御装置の切替スイッチの切り替え制御を行うことにより、前記教室Ｘ及び残りの全ての教室における前記学習者端末の音声入出力装置に送信する制御を行うことを特徴とする。
【００１２】
上記構成によれば、任意の教室にいる教師の音声を全ての教室の学習者に送信することで、教師音声を全ての教室の学習者に聞かせることができる。
【００１３】
また、前記音声通信制御手段は、任意の教室Ｘにおける前記教師端末の音声入出力装置により入力した教師音声を、前記教室Ｘにおける前記音声通信制御装置及び残りの全ての教室における前記音声通信制御装置の切替スイッチの切り替え制御を行うことにより、前記教室Ｘを含めて任意の１ないし複数の限定された教室における任意の１ないし複数の限定された前記学習者端末の音声入出力装置に送信する制御を行うことを特徴とする。
【００１４】
上記構成によれば、任意の教室Ｘにいる教師の音声を当該教室Ｘを含めて任意の１ないし複数の限定された教室の学習者に送信することで、教師音声を任意の１ないし複数の限定された教室の学習者に聞かせることができる。
【００１５】
また、前記音声通信制御手段は、任意の教室Ｘにおける任意かつ単独の前記学習者端末の音声入出力装置により入力した学習者音声を、前記教室Ｘにおける前記音声通信制御装置及び残りの全ての教室における前記音声通信制御装置の切替スイッチの切り替え制御を行うことにより、前記教室Ｘを含めて任意の教室における前記教師端末の音声入出力装置に送信する制御を行うことを特徴とする。
【００１６】
上記構成によれば、任意の教室Ｘの任意かつ単独の学習者の音声を当該教室Ｘを含めて任意の教室にいる教師に送信することで、任意の教室の任意の一人の学習者の音声を任意の教室にいる教師に聞かせることができる。
【００１７】
また、前記音声通信制御手段は、任意の教室Ｘにおける任意の１ないし複数の限定された前記学習者端末の中の任意の１台の学習者端末の音声入出力装置により入力した学習者音声を、前記教室Ｘにおける前記音声通信制御装置及び残りの全ての教室における前記音声通信制御装置の切替スイッチの切り替え制御を行うことにより、任意の教室Ｙにおける前記教師端末の音声入出力装置に送信する制御を行うことを特徴とする。
【００１８】
上記構成によれば、任意の教室Ｘの任意の１ないし複数の限定された学習者の中の任意の一人の音声を、当該任意の教室Ｘにいる教師に送信することで、任意の教室の１ないし複数の限定された学習者の中の任意の一人の音声を任意の教室にいる教師に聞かせることができる。
【００１９】
また、前記音声通信制御手段は、任意の教室Ｘにおける任意の１ないし複数の限定された前記学習者端末の中の任意の１台の学習者端末の音声入出力装置により入力した学習者音声を、前記教室Ｘにおける前記音声通信制御装置の切替スイッチの切り替え制御を行うことにより、前記教室Ｘにおける前記教師端末の音声入出力装置に送信する制御を行うことを特徴とする。
【００２０】
上記構成によれば、任意の教室Ｘの任意の１ないし複数の限定された学習者の中の任意の一人の音声を、当該教室Ｘの教師に送信することで、任意の教室の任意の１ないし複数の限定された学習者の中の任意の一人の音声を当該任意の教室の教師に聞かせることができる。
【００２１】
また、前記音声通信制御手段は、任意の教室Ｘにおける前記音声通信制御装置の切替スイッチの切り替え制御、及び、残りの教室の中の任意の教室Ｙにおける前記音声通信制御装置及びさらに残りの教室における全ての音声通信制御装置の切替スイッチの切り替え制御を行うことにより、前記教室Ｘにおける前記教師端末の音声入出力装置により入力した教師音声を前記教室Ｙにおける任意かつ単独の前記学習者端末の音声入出力装置に送信し、また、前記教室Ｙにおける任意かつ単独の前記学習者端末の音声入出力装置により入力した学習者音声を前記教室Ｘにおける前記教師端末の音声入出力装置に送信する制御を行うことを特徴とする。
【００２２】
上記構成によれば、任意の教室Ｘにいる教師の音声と任意の教室Ｙにいる任意の一人の学習者の声を相互に送受信することで、任意の教室の教師と当該教室以外の任意の教室にいる任意の一人の学習者との相互通話を行うことができる。
【００２３】
また、前記音声通信制御手段は、任意の教室Ｘにおける前記音声通信制御装置の切替スイッチの切り替え制御、及び、残りの教室の中の任意の教室Ｙにおける前記音声通信制御装置及びさらに残りの教室における全ての音声通信制御装置の切替スイッチの切り替え制御を行うことにより、前記教室Ｘにおける前記教師端末の音声入出力装置により入力した教師音声を前記教室Ｙにおける任意の１ないし複数の限定された前記学習者端末の中の任意の１台の学習者端末の音声入出力装置に送信し、また、前記教室Ｙにおける前記限定された学習者端末の中の任意の１台の学習者端末の音声入出力装置により入力した学習者音声を前記教室Ｘにおける前記教師端末の音声入出力装置に送信する制御を行うことを特徴とする。
【００２４】
上記構成によれば、任意の教室Ｘにいる教師の音声と任意の教室Ｙにいる任意の１ないし複数の限定された学習者の中の任意の一人の学習者の声を相互に送受信することで、任意の教室の教師と当該教室以外の任意の教室にいる任意の１ないし複数の限定された学習者の中の任意の一人との相互通話を行うことができる。
【００２５】
また、前記音声通信制御手段は、任意の教室Ｘにおける前記音声通信制御装置の切替スイッチの切り替え制御を行うことにより、前記教室Ｘにおける前記教師端末の音声入出力装置により入力した教師音声を、前記教室Ｘにおける任意の１ないし複数の限定された前記学習者端末の中の任意の１台の学習者端末の音声入出力装置に送信し、また、前記教室Ｘにおける前記限定された学習者端末の中の任意の１台の学習者端末の中の音声入出力装置により入力した学習者音声を前記教室Ｘにおける前記教師端末の音声入出力装置に送信する制御を行うことを特徴とする。
【００２６】
上記構成によれば、任意の教室Ｘにいる教師の音声と当該教室Ｘにいる任意の１ないし複数の限定された学習者の中の任意の一人の学習者の声を相互に送受信することで、任意の教室の教師と当該教室の任意の１ないし複数の限定された学習者の中の任意の一人との相互通話を行うことができる。
【００２７】
また、前記音声通信制御手段は、任意の教室Ｘにおける前記音声通信制御装置の切替スイッチの切り替え制御、及び、任意の教室Ｙにおける前記音声通信制御装置及びさらに残りの全ての教室における前記音声通信制御装置の切替スイッチの切り替え制御を行うことにより、前記教室Ｘにおける前記教師端末の音声入出力装置により入力した教師音声を前記教室Ｙにおける任意かつ単独の前記学習者端末の音声入出力装置に送信するとともに、前記教室Ｙにおける残りの全ての前記学習者端末の音声入出力装置に送信し、また、前記教室Ｙにおける前記任意かつ単独の学習者端末の音声入出力装置により入力した学習者音声を前記教室Ｙにおける残りの全ての前記学習者端末の音声入出力装置に送信するとともに前記教室Ｘにおける前記教師端末の音声入出力装置に送信する制御を行うことを特徴とする。
【００２８】
上記構成によれば、任意の教室Ｘにいる教師の音声と任意の教室Ｙにいる任意の一人の学習者の声を相互に送受信するとともに、両者の音声を他の全ての学習者に送信することで、任意の教室の教師と当該教室以外の任意の教室にいる任意の一人の学習者との相互通話を行うことができるとともに、両者の相互通話を他の全ての学習者に聞かせることができる。
【００２９】
また、前記音声通信制御手段は、任意の教室Ｘにおける前記音声通信制御装置の切替スイッチの切り替え制御、及び、任意の教室Ｙにおける前記音声通信制御装置及びさらに残りの全ての教室における前記音声通信制御装置の切替スイッチの切り替え制御を行うことにより、前記教室Ｘにおける前記教師端末の音声入出力装置により入力した教師音声を前記教室Ｙにおける任意の１ないし複数の限定された前記学習者端末の音声入出力装置に送信するとともに前記教室Ｙにおける残りの全ての前記学習者端末の音声入出力装置に送信し、また、前記教室Ｙにおける前記限定された複数の前記学習者端末の中の任意の１台の音声入出力装置により入力した学習者音声を前記教室Ｙにおける前記学習者音声を入力している学習者端末を除いた残りの全ての学習者端末の音声入出力装置に送信するとともに前記教室Ｘにおける前記教師端末の音声入出力装置に送信する制御を行うことを特徴とする。
【００３０】
上記構成によれば、任意の教室Ｘにいる教師の音声と当該教室Ｘにいる任意の１ないし複数の限定された学習者の中の任意の一人の学習者の声を相互に送受信するとともに、両者の声を残りの全ての学習者に送信することで、任意の教室の教師と当該教室以外の任意の教室にいる任意の１ないし複数の限定された学習者の中の任意の一人との相互通話を行うことができるとともに、両者の相互通話を他の全ての学習者に聞かせることができる。
【００３１】
また、前記音声通信制御手段は、任意の教室Ｘにおける前記音声通信制御装置の切替スイッチの切り替え制御することにより、前記教室Ｘにおける前記教師端末の音声入出力装置により入力した教師音声を前記教室Ｘにおける全ての前記学習者端末の音声入出力装置に送信し、また、前記教室Ｘにおける任意の１ないし複数の限定した前記学習者端末の音声入出力装置の中の任意の１台の学習者端末の音声入出力装置により入力した学習者音声を前記教室Ｘにおける前記学習者音声を入力している学習者端末を除いた残りの全ての学習者端末の音声入出力装置に送信するともに前記教室Ｘにおける前記教師端末の音声入出力装置に送信する制御を行うことを特徴とする。
【００３２】
上記構成によれば、任意の教室Ｘにいる教師の音声と当該教室Ｘにいる任意の１ないし複数の限定された学習者の中の任意の一人の学習者の声を相互に送受信するとともに両者の音声を残りの全ての学習者に送信することで、任意の教室にいる教師と当該教室にいる任意の１ないし複数の限定された学習者の中の任意の一人の学習者との相互通話を行うことができるとともに、両者の音声を残りの全ての学習者に聞かせることができる。
【００３３】
また、前記音声通信制御手段は、任意の教室Ｘにおける前記教師端末から前記教室Ｘを含む任意の教室Ｙにおける少なくとも１台以上の前記学習者端末を指定する選択手段を有することを特徴とする。
【００３４】
上記構成によれば、任意の教室Ｘにいる教師が音声を送りたい、音声を聞きたい、相互に通話したい学習者を指定することができる。
【００３５】
また、前記学習者端末から任意の教室の前記教師端末に通話意思を通知する通話要求手段を有することを特徴とする。
【００３６】
上記構成によれば、任意の学習者が教師に対して音声を送りたい、音声を聞きたい、相互に通話したいという意思を表明することができる。
【００３７】
また、前記教師端末の音声通信制御装置に接続された少なくとも１台以上の音響機器を設け、前記音声通信制御手段は、任意の教室Ｘにおける前記音声通信制御装置及び残りの全ての教室における前記音声通信制御装置の切替スイッチの切り替え制御を行うことにより、前記教室Ｘにおける前記音響機器から入力した音声信号を前記教室Ｘ及び残りの全ての教室における前記学習者端末の音声入出力装置に送信する制御を行うことを特徴とする。
【００３８】
上記構成によれば、教師のいる教室に設備されている音響機器の出力音声を全ての学習者端末に送信することで、任意の教室の音響機器の出力音声を全ての学習者に聞かせることができる。
【００３９】
また、前記教師端末の音声通信制御装置に接続された少なくとも１台以上の音響機器を設け、前記音声通信制御手段は、任意の教室Ｘにおける前記音声通信制御装置及び残りの全ての教室における前記音声通信制御装置の切替スイッチの切り替え制御を行うことにより、前記教室Ｘにおける前記音響機器から入力した音声信号を前記教室Ｘを含めて任意の１ないし複数の限定された教室における１ないし複数の限定された前記学習者端末の音声入出力装置に送信する制御を行うことを特徴とする。
【００４０】
上記構成によれば、教師のいる教室Ｘに設備されている音響機器の出力音声を当該教室Ｘを含めて任意の１ないし複数の限定された教室の１ないし複数の限定された学習者に送信することで、任意の教室の音響機器の出力音声を音響機器がある教室を含めて任意の１ないし複数の限定された教室の１ないし複数の限定された学習者に聞かせることができる。
【００４１】
本発明に係る授業支援システムは、教師端末と複数台の学習者端末とをネットワーク装置を介して接続するとともに、前記教師端末に接続される音声入出力装置と前記学習者端末それぞれに接続される音声入出力装置とを音声通信制御装置を介して接続してなる授業支援装置を各教室に設置し、前記各教室における前記ネットワーク装置同志を相互接続装置を介して接続するとともに、特定の教室における前記音声通信制御装置と残りの全ての教室における前記音声通信制御装置とを接続して構成される授業支援システムであって、前記特定の教室の教師端末からの指示に基づき、前記ネットワーク装置を介して当該教室における音声通信制御装置の切替スイッチの切り替えを制御するとともに、前記ネットワーク装置及び前記相互接続装置を介して他の教室における音声通信制御装置の切替スイッチの切り替えを制御する音声通信制御手段を備えたことを特徴とする。
【００４２】
上記構成では、教師のいる教室の教師端末と当該教室の学習者端末及び残りの学習者端末との間に音声通信制御装置の切替スイッチを通して各種回線経路を形成し、教師端末と全学習者端末或いは任意の１ないし複数の学習者端末との間で一方向の音声の送信、音声の受信、双方向の音声の送信、音声の受信を行うことが可能となる。これにより、複数の教室や空間的に離れた複数拠点間での単独の教師による合同授業をより柔軟に行うことができる。
【００４３】
また、前記音声通信制御手段は、前記特定の教室における前記教師端末の音声入出力装置により入力した教師音声を、前記特定の教室における前記音声通信制御装置及び残りの全ての教室における前記音声通信制御装置の切替スイッチの切り替え制御を行うことにより、前記特定の教室及び残りの全ての教室における前記学習者端末の音声入出力装置に送信する制御を行うことを特徴とする。
【００４４】
上記構成によれば、特定の教室にいる教師の音声を全ての教室の学習者に送信することで、特定の教室の教師の音声を全ての教室の学習者に聞かせることができる。
【００４５】
また、前記音声通信制御手段は、前記特定の教室における前記教師端末の前記音声入出力装置により入力した教師音声を、前記特定の教室における前記音声通信制御装置及び残りの１ないし複数の限定された教室における前記音声通信制御装置の切替スイッチの切り替え制御を行うことにより、前記特定の教室を含めて任意の１ないし複数の限定された教室における任意の１ないし複数の限定された前記学習者端末の音声入出力装置に送信する制御を行うことを特徴とする。
【００４６】
上記構成によれば、特定の教室にいる教師の音声を任意の１ないし複数の限定された各教室の任意の１ないし複数の限定された学習者に送信することで、特定の教室の教師の音声を任意の１ないし複数の限定された各教室の任意の１ないし複数の限定された学習者に聞かせることができる。
【００４７】
また、前記音声通信制御手段は、前記特定の教室以外の任意の教室Ｘにおける任意かつ単独の前記学習者端末の音声入出力装置或いは任意の教室Ｙにおける任意かつ単独の前記学習者端末の音声入出力装置により入力した学習者音声を、前記特定の教室における前記音声通信制御装置、前記教室Ｘにおける前記音声通信制御装置及び前記教室Ｙにおける前記音声通信制御装置の切替スイッチの切り替え制御を行うことにより、前記特定の教室における前記教師端末の音声入出力装置に送信する制御を行うことを特徴とする。
【００４８】
上記構成によれば、任意の教室Ｘの任意の一人の学習者と任意の教室Ｙの任意の一人の学習者のいずれかの音声を特定の教室の教師に送信することで、任意の教室Ｘの任意の一人の学習者と任意の教室Ｙの任意の一人の学習者のいずれかの音声を特定の教室の教師に聞かせることができる。
【００４９】
また、前記音声通信制御手段は、任意の教室Ｘにおける任意の１ないし複数の限定された前記学習者端末の中の任意の１台の学習者端末の音声入出力装置或いは任意の教室Ｙにおける任意の１ないし複数の限定された前記学習者端末の中の任意の１台の学習者端末の音声入出力装置により入力した学習者音声を、前記特定の教室における前記音声通信制御装置、前記教室Ｘにおける前記音声通信制御装置及び前記教室Ｙにおける前記音声通信制御装置の切替スイッチの切り替え制御を行うことにより、前記特定の教室における前記教師端末の音声入出力装置に送信する制御を行うことを特徴とする。
【００５０】
上記構成によれば、任意の教室Ｘの任意の１ないし複数の学習者の任意の一人の音声か、任意の教室Ｙの任意の１ないし複数の学習者の任意の一人の音声かのいずれかを特定の教室の教師に送信することで、任意の教室Ｘの任意の１ないし複数の学習者の任意の一人の音声か、任意の教室Ｙの任意の１ないし複数の学習者の任意の一人の音声かのいずれかを特定の教室の教師に聞かせることができる。
【００５１】
また、前記音声通信制御手段は、前記特定の教室における任意の１ないし複数の限定された前記学習者端末の音声入出力装置により入力した学習者音声を、前記特定の教室における前記音声通信制御装置の切替スイッチの切り替え制御を行うことにより、前記特定の教室における前記教師端末の音声入出力装置に送信する制御を行うことを特徴とする。
【００５２】
上記構成によれば、特定の教室の任意の１ないし複数の限定された学習者の中の任意の一人の音声を当該特定の教室にいる教師に送信することで、特定の教室の任意の１ないし複数の限定された学習者の中の任意の一人の音声を当該特定の教室にいる教師に聞かせることができる。
【００５３】
また、前記音声通信制御手段は、前記特定の教室における前記音声通信制御装置の切替スイッチの切り替え制御、及び、残りの教室における任意の１ないし複数の限定された教室における前記音声通信制御装置の切替スイッチの切り替え制御を行うことにより、前記特定の教室における前記教師端末の音声入出力装置により入力した教師音声を前記任意の１ないし複数の限定された教室における任意かつ単独の前記学習者端末の音声入出力装置に送信し、また、前記任意の１ないし複数の限定された教室における任意かつ単独の前記学習者端末の音声入出力装置により入力した学習者音声を前記特定の教室における前記教師端末の音声入出力装置に送信する制御を行うことを特徴とする。
【００５４】
上記構成によれば、特定の教室にいる教師と、任意の１ないし複数の限定された教室の中の任意のひとつの教室の任意の１ないし複数の限定された学習者の中の任意の一人の学習者の声を相互に送受信することで、特定の教室にいる教師と、任意の１ないし複数の限定された教室の中の任意の一つの教室の任意の１ないし複数の限定された学習者の中の任意の学習者との相互通話を行うことができる。
【００５５】
また、前記音声通信制御手段は、前記特定の教室における前記音声通信制御装置の切替スイッチの切り替え制御を行うことにより、前記特定の教室における前記教師端末の音声入出力装置により入力した教師音声を前記特定の教室における任意の１ないし複数の限定された前記学習者端末の音声入出力装置に送信し、また、前記特定の教室における任意の１ないし複数の限定された前記音声入出力装置により入力した学習者音声を前記特定の教室における前記教師端末の音声入出力装置に送信する制御を行うことを特徴とする。
【００５６】
上記構成によれば、特定の教室にいる教師の音声と当該教室にいる任意の１ないし複数の限定された学習者の中の任意の一人の学習者の声を相互に送受信することで、特定の教室の教師と当該教室の任意の１ないし複数の限定された学習者の中の任意の一人との相互通話を行うことができる。
【００５７】
また、前記音声通信制御手段は、前記特定の教室における前記音声通信制御装置の切替スイッチの切り替え制御、残りの任意の１ないし複数の限定された教室における前記音声通信制御装置及び前記限定された教室以外の残りの全ての教室における前記音声通信制御装置の切替スイッチの切り替え制御を行うことにより、前記特定の教室における前記教師端末の音声入出力装置により入力した教師音声を前記限定された教室における任意かつ単独の前記学習者端末の音声入出力装置に送信するとともに、前記残りの全ての教室における前記学習者端末の音声入出力装置に送信し、また、前記限定された教室における任意かつ単独の前記学習者端末の音声入出力装置により入力した学習者音声を前記特定の教室における前記教師端末の音声入出力装置に送信し、前記学習者音声を入力している学習者端末を除いた前記限定された教室における前記学習者端末に送信するとともに、前記残りの全ての教室における前記学習者端末の音声入出力装置に送信する制御を行うことを特徴とする。
【００５８】
上記構成によれば、特定の教室にいる教師の音声と任意の教室Ｙにいる任意の１ないし複数の限定された学習者の中の任意の一人の学習者の声を相互に送受信するとともに、両者の音声を他の全ての学習者に送信することで、特定の教室の教師と当該教室以外の任意の教室にいる任意の一人の学習者との相互通話を行うことができるとともに、両者の相互通話を他の全ての学習者に聞かせることができる。
【００５９】
また、前記音声通信制御手段は、前記特定の教室における前記音声通信制御装置の切替スイッチの切り替え制御を行うことにより、前記特定の教室における前記教師端末の音声入出力装置により入力した教師音声を前記特定の教室における全ての前記学習者端末の音声入出力装置に送信し、また、前記特定の教室における任意の１ないし複数の限定された前記学習者端末の中の任意の１台の学習者端末の音声入出力装置により入力した学習者音声を前記特定の教室における前記学習者音声を入力している学習者端末を除いた残りの全ての学習者端末の音声入出力装置に送信するともに前記教師端末の音声入出力装置に送信する制御を行うことを特徴とする。
【００６０】
上記構成によれば、特定の教室にいる教師と当該教室にいる任意の１ないし複数の限定された学習者の中の任意の一人の学習者の声を相互に送受信するとともに、両者の声を残りの全ての学習者に送信することで、特定の教室の教師と当該特定の教室の任意の１ないし複数の限定された学習者の中の任意の一人との相互通話を行うことができるとともに、両者の相互通話を当該教室の他の全ての学習者に聞かせることができる。
【００６１】
また、前記特定の教室における前記教師端末の音声通信制御装置に接続された少なくとも１台以上の音響機器を設け、前記音声通信制御手段は、前記特定の教室における前記音声通信制御装置及び残りの全ての教室における前記音声通信制御装置の切替スイッチの切り替え制御を行うことにより、前記特定の教室における前記音響機器から入力した音声信号を前記特定の教室及び残りの全ての教室における前記学習者端末の音声入出力装置に送信する制御を行うことを特徴とする。
【００６２】
上記構成によれば、特定の教室に設備されている音響機器の出力音声を全ての学習者端末に送信することで、特定の教室の音響機器の出力音声を全ての学習者に聞かせることができる。
【００６３】
また、前記特定の教室における前記教師端末の音声通信制御装置に接続された少なくとも１台以上の音響機器を設け、前記音声通信制御手段は、前記特定の教室における前記音声通信制御装置及び任意の１ないし複数の限定された教室における前記音声通信制御装置の切替スイッチの切り替え制御を行うことにより、前記特定の教室における前記音響機器から入力した音声信号を前記特定の教室を含めた任意の限定された複数の教室における任意の１ないし複数の限定された前記学習者端末の音声入出力装置に送信する制御を行うことを特徴とする。
【００６４】
上記構成によれば、特定の教室に設備されている音響機器の出力音声を当該教室Ｘを含めて任意の１ないし複数の限定された教室の１ないし複数の限定された学習者に送信することで、特定の教室の音響機器の出力音声を音響機器がある教室を含めて任意の１ないし複数の限定された教室の１ないし複数の限定された学習者に聞かせることができる。
【００６５】
【発明の実施の形態】
以下、図面を参照して本発明の実施形態を説明する。
（第１実施形態）
図１は本発明の第１実施形態に係る授業支援システムの構成を示したブロック図、図２は第１実施形態の授業支援システムにおける音声通信制御装置の接続状態を示した構成説明図である。
【００６６】
本実施形態の授業支援システムは、複数の教室１，２，…，Ｎにそれぞれ構築された授業支援装置が相互接続装置であるルータ装置５１を介して相互にデジタル回線で接続されて構成されている。教室１，２，…，Ｎはそれぞれ異なる場所にある教室である。各教室の授業支援装置はいずれも同じであるので、以下、教室１及び教室２を例にとって構成を説明する。
【００６７】
授業支援装置は、教師端末２１、教師用の音声入出力装置１１、複数の学習者端末７１、学習者用の複数の音声入出力装置６１、音声通信制御装置４０、ネットワーク装置５０を備えて構成される。教師端末２１と各学習者端末７１はネットワーク装置５０を介してＬＡＮケーブル１０５により相互に接続される。また、教師端末２１にはアナログ線１０４で音声入出力装置１１が接続され、各学習者端末７１にはそれぞれアナログ線１０４で音声入出力装置６１が接続されており、これらの教師用の音声入出力装置１１及び学習者用の各音声入出力装置６１は音声通信制御装置４０を介してアナログ線１０４で相互に接続されている。また、教師用の音声入出力装置１１及び学習者用の各音声入出力装置６１には、ヘッドセット１０１が接続されている。
【００６８】
ここで、教師用の音声入出力装置１１及び学習者用の各音声入出力装置６１は、教師または学習者が聴取及び発話する音声信号をヘッドセット１０１を介して入出力する動作をする。教師端末２１及び複数の学習者端末７１は、ＬＡＮケーブル１０５を介してネットワーク装置５０に接続されており、授業や学習の状況を制御するもので、パーソナルコンピュータ及びディスプレイから構成されている。
【００６９】
また、教師端末２１及び複数の学習者端末７１は、それぞれアナログ線１０４を介して教師用の音声入出力装置１１及び学習者用の各音声入出力装置６１にも接続されている。音声通信制御装置４０は、アナログ線１０４を介して教師用の音声入出力装置１１及び学習者用の各音声入出力装置６１に接続され、かつ、ＬＡＮケーブル１０５を介してネットワーク装置５０に接続されている。この音声通信制御装置４０は、ＬＡＮケーブル１０５を介しネットワークを通じて受信した制御信号に基づいて、各種スイッチの開閉動作を行うことにより、教師端末２１及び各学習者端末７１間の音声コミュニケーションや音声教材の送受信を可能とする。さらに、ネットワーク装置５０はスイッチングハブ（ＨＵＢ）などから構成される。
【００７０】
また、音声通信制御装置４０には、図２（Ａ），（Ｂ）に示すように、教室１と教室２のそれぞれにおいて、複数の教師端末入力端子９１〜９ｉ及び複数の教師端末出力端子８１〜８ｉ、複数の学習者端末入力端子１２１〜１２ｎ及び複数の学習者端末出力端子１１１〜１１ｎが設けられている。本実施形態では、各教室において、音声通信制御装置４０の教師端末入力端子９１と教師端末出力端子８１は、アナログ線１０４により音声入出力装置１１を介して当該教室の教師端末２１に接続されている。また、学習者端末入力端子１２１〜１２ｎと学習者端末出力端子１１１〜１１ｎは、それぞれアナログ線１０４により各音声入出力装置６１を介して各学習者端末７１に接続されている。
【００７１】
教室１，２，…，Ｎ間は、アナログ線１０４を介して音声通信制御装置４０の教師端末入出力端子の未使用部分を利用して接続されている。例えば、教師端末入力端子９２と教師端末出力端子８２を利用し、教室１の出力端子と教室２の入力端子、教室２の出力端子と教室３の入力端子、…、教室Ｎの出力端子と教室１の入力端子を相互に接続するようにいわゆるリング型の接続形態となっている。
【００７２】
すなわち、図２（Ａ）に示すように、教室１の音声通信制御装置４０において、教師端末出力端子８２はアナログ線１０４を介して教室２の音声通信制御装置４０の教師端末入力端子９２に接続され、教師端末入力端子９２はアナログ線１０４を介して教室Ｎの音声通信制御装置４０の教師端末出力端子８２に接続されている。また、図２（Ｂ）に示すように、教室２の音声通信制御装置４０において、教師端末出力端子８２はアナログ線１０４を介して教室３の音声通信制御装置４０の教師端末入力端子９２に接続され、教師端末入力端子９２はアナログ線１０４を介して教室１の音声通信制御装置４０の教師端末出力端子８２に接続されている。
【００７３】
また教室１，２，…，Ｎ内の各ネットワーク装置５０は、ＬＡＮケーブル１０５によりルータ装置５１に接続されており、教室間にわたるネットワークによる制御信号の送受信が可能となるよう構成されている。
【００７４】
図３は、図１で示した音声通信制御装置４０の音声入出力切替スイッチ及び音声教材送出切替スイッチの構成を示している。図３（Ａ）において、音声入出力切替スイッチ４１は、図２（Ａ）における教師端末入力端子９１に対応する教師端末ｔ１音声入力に接続される音声入力スイッチＳＷｔ１−ｔ１〜ＳＷｔ１−ｓｎ、教師端末入力端子９２に対応する教師端末ｔ２音声入力に接続される音声入力スイッチＳＷｔ２−ｔ１〜ＳＷｔ２−ｓｎ、…、教師端末入力端子９ｉに対応する教師端末ｔｉ音声入力に接続される音声入力スイッチＳＷｔｉ−ｔ１〜ＳＷｔｉ−ｓｎ、学習者端末入力端子１２１に対応する学習者端末ｓ１音声入力に接続される音声入力スイッチＳＷｓ１−ｔ１〜ＳＷｓ１−ｓｎ、学習者端末入力端子１２２に対応する学習者端末ｓ２音声入力に接続される音声入力スイッチＳＷｓ２−ｔ１〜ＳＷｓ３−ｓｎ、…、学習者端末入力端子１２ｎに対応する学習者端末ｓｎ音声入力に接続される音声入力スイッチＳＷｓｎ−ｔ１〜ＳＷｓｎ−ｓｎを有している。これらの音声入力スイッチの他端は、教師端末ｔ１音声出力〜教師端末ｔｉ音声出力、学習者端末ｓ１音声出力〜学習者端末ｓｎ音声出力にそれぞれ接続されるようにマトリクス状に接続された構成となっている。
【００７５】
また、図３（Ｂ）において、音声教材送出切替スイッチ４２は、音声通信制御装置４０にｍ台の音響機器が接続されている場合、音響機器ｐ１音声入力に接続される音声入力スイッチＳＷｐ１−ｔ１〜ＳＷｐ１−ｓｎ、音響機器ｐ２音声入力に接続される音声入力スイッチＳＷｐ２−ｔ１〜ＳＷｐ２−ｓｎ、…、音響機器ｐｍ音声入力に接続される音声入力スイッチＳＷｐｍ−ｔ１〜ＳＷｐｍ−ｓｎを有している。これらの音声入力スイッチの他端は、教師端末ｔ１音声出力〜教師端末ｔｉ音声出力、学習者端末ｓ１音声出力〜学習者端末ｓｎ音声出力にそれぞれ接続されるようにマトリクス状に接続された構成となっている。なお、音響機器ｐ１音声入力〜音響機器ｐｍ音声入力には、教師用の音声入出力装置１１及び学習者用の各音声入出力装置６１が対応している。
【００７６】
図４は、パーソナルコンピュータなどで構成される任意の教室の教師端末２１の操作画面例を示したものである。操作画面は、液晶ディスプレイやＣＲＴモニタなどに表示され、操作はマウスやキーボード、或いは、タッチパネルモニタへの接触等によって行われる。
【００７７】
図４において、教室切替部２１０は、複数存在する教室のどれを制御対象とするか指定するためのものである。学習者アイコン２２０は、教室切替部２１０で選択した教室内のレイアウトを模した画面構成の中で学習者端末の設置されている位置を表し、かつ、学習者端末の音声コミュニケーション制御状態及び動作状態を表すものである。
【００７８】
学習者アイコン２２０は、制御対象の学習者を指定するのに用いられ、マウスでクリックする等の操作を行うと、指定学習者マーク２３０が該学習者アイコンに印される。通話要求マーク２４０は、教師端末が学習者端末からの通話要求を受信した際に、通話要求発行元の学習者端末を示す学習者アイコン上に印される。
【００７９】
制御指示ボタン２５１〜２５５は、音声コミュニケーションの制御内容を規定するボタンを示すアイコンである。オールコールアイコン２５１は、教師の音声を全学習者に送出するときに操作するものである。モニタアイコン２５２は、指定学習者マーク２３０の付与された１ないし複数の学習者の音声を教師が聴取するときに操作するものである。インカムアイコン２５３は、指定学習者マーク２３０の付与された１ないし複数の学習者と教師とが音声通話を行うときに操作するものである。コールレスポンスアイコン２５４は、通話要求マーク２４０の付与された学習者をコミュニケーションの対象とするときに操作するものである。モデルアイコン２５５は、指定学習者マーク２３０の付与された１ないし複数の学習者と教師との音声通話を他の全学習者に聴取させるときに操作するものである。
【００８０】
対象音響機器表示部２６０は、制御対象として指定されている音響機器を表示する。対象音響機器切替ボタン２７０は、対象音響機器表示部２６０に表示されている音響機器を指定し直す場合に操作する。音声教材送出切替ボタン２８０は、対象音響機器表示部２６０に表示されている音響機器の音声を教師や全学習者若しくは指定した１ないし複数の学習者に送出するときに操作する。
【００８１】
次に、以上のように構成された第１実施形態の授業支援システムについて、その動作を説明する。教師は任意の教室の教師端末２１で操作を行うことが可能であるが、以降では教室１の教師端末２１で操作を行うこととする。
【００８２】
図５及び図６はオールコールアイコン操作時の音声通信制御装置における音声信号の流れの一例を示す動作説明図であり、図５は教室１の音声通信制御装置を、図６は教室２〜Ｎの音声通信制御装置をそれぞれ示したものである。
【００８３】
図１における教室１の教師端末２１の操作画面（図４参照）において、オールコールアイコン２５１を教師が操作すると、教師端末２１よりＬＡＮケーブル１０５及びネットワーク装置５０を介して制御信号Ｃ（ｔ１，ｔ２，ｓ１，…，ｓｎ）が音声通信制御装置４０に送信される。これにより、教室１の音声通信制御装置４０では、図３（Ａ）における教師端末ｔ１音声入力に接続された音声入力スイッチＳＷｔ１−ｔ２、ＳＷｔ１−ｓ１、…、ＳＷｔ１−ｓｎが同時にＯＮとなる。そして、図５の太線で示す通り、教師端末入力端子９１より教師端末ｔ１音声入力に入力された教師端末２１からの教師音声が教室１内の全学習者端末７１に送出されるとともに、教師端末ｔ２音声出力に接続された教師端末出力端子８２より教室２の音声通信制御装置４０に送出される。
【００８４】
ここで、制御信号Ｃ（ｘ，ｙ１，…，ｙｎ）とは、音声通信制御装置４０に対して音声入力スイッチＳＷｘ−ｙ１，…，ＳＷｘ−ｙｎを同時にＯＮする旨の制御指示を示す。ここでは、上記教師端末ｔ１音声入力及び出力は自己の教室（教室１）の教師端末２１に対応し、教師端末ｔ２音声入力及び出力は他の教室（教室２）の音声通信制御装置４０に対応している。
【００８５】
同時に教室１の教師端末２１よりＬＡＮケーブル１０５、ネットワーク装置５０及びルータ装置５１を介して別の制御信号Ｃ（ｔ２，ｔ２，ｓ１，…，ｓｎ）が教室２，３，…，Ｎの音声通信制御装置４０に送信される。これにより、各々の教室の音声通信制御装置４０において、教師端末ｔ２音声入力に対応する音声入力スイッチＳＷｔ２−ｓ１、ＳＷｔ２−ｔ２、ＳＷｔ２−ｓ１、…、ＳＷｔ２−ｓｎが同時にＯＮとなる。そして、図６の太線で示す通り、教師端末入力端子９２より教師端末ｔ２音声入力に入力された教室１からの教師音声が当該教室内の全学習者端末７１に送出されるとともに、教師端末ｔ２音声出力に接続された教師端末出力端子８２より次教室の音声通信制御装置４０に送出される。
【００８６】
ここで、教室ｘ（ｘは１〜Ｎ）における教師端末ｔ２音声入力に対応する教師端末入力端子９２は、アナログ線１０４により教室ｘ−１の教師端末ｔ２音声出力に対応する教師端末出力端子８２と接続されているので、結果として教室ｘ−１の音声通信制御装置４０の教師端末入力端子９１に入力された音声、すなわち教室１の教師音声を全教室１〜Ｎの全学習者端末７１へ送出することができる。
【００８７】
なお、ここでは全教室の全学習者へ教室１の教師音声を送出することを例にとって説明したが、各教室へ送出する制御信号Ｃの第２項以降を適宜変更することで任意の教室の１ないし複数の学習者に限定して教師音声を送出することも可能である。
【００８８】
図７はモニタアイコン操作時の音声信号の流れの一例を示す動作説明図である。図１における教室１の教師端末２１の操作画面（図４参照）において、教室Ｘの学習者端末Ｙに指定学習者マーク２３０を付与した状態でモニタアイコン２５２を操作すると、教室１の教師端末２１よりＬＡＮケーブル１０５及びネットワーク装置５０を介して、教室１の音声通信制御装置４０に対し制御信号Ｃ（ｔ２，ｔ１）が送信される。また同時に、ＬＡＮケーブル１０５、ネットワーク装置５０及びルータ装置５１を介して、教室Ｘの音声通信制御装置４０に対し制御信号Ｃ（ｔ２，ｔ２）；Ｃ（ｓＹ，ｔ２）が、その他の教室の音声通信制御装置４０に対し制御信号Ｃ（ｔ２，ｔ２）がそれぞれ送信される。これにより、図７の太線で示す経路により、任意教室の任意学習者の音声を教師が聴取することができる。
【００８９】
ここで、制御信号Ｃ（ｘ，ｙ１，…，ｙｎ）；Ｃ（ｚ，ｗ１，…，ｗｍ）；…は、図３（Ａ）における音声入出力切替スイッチＳＷｘ−ｙ１，…，ＳＷｘ−ｙｎを同時にＯＮし、さらにＳＷｚ−ｗ１，…，ＳＷｚ−ｗｍ，…も同時にＯＮする旨の制御指示を示す。
【００９０】
なお、ここでは教室１以外の教室に配置された単独の学習者端末Ｙの音声を聴取することを例にとって説明したが、制御信号Ｃ（ｓＹａ，ｔ２）を当該音声通信制御装置４０の制御信号に付加することにより、任意の教室に属する２つの学習者端末Ｙ及びＹａの音声を同時に聴取することも可能であるし、同様の手順で順次制御信号を付加することで３名以上の学習者を対照とすることもできる。
【００９１】
また、教室１内の各学習者端末７１の音声を聴取する場合は、音声通信制御装置４０に対して制御信号Ｃ（ｓＹ，ｔ１）等を送信することにより、直接教師端末２１に該当する学習者端末の音声を出力させればよい。
【００９２】
図８はインカムアイコン操作時の音声信号の流れの一例を示す動作説明図である。図１における教室１の教師端末２１の操作画面（図４参照）において、教室Ｘの学習者端末Ｙに指定学習者マーク２３０を付与した状態でインカムアイコン２５３を操作すると、教室１の教師端末２１よりＬＡＮケーブル１０５及びネットワーク装置５０を介して、教室１の音声通信制御装置４０に対し制御信号Ｃ（ｔ１，ｔ２）；Ｃ（ｔ２，ｔ１）が送信される。また同時に、ＬＡＮケーブル１０５、ネットワーク装置５０及びルータ装置５１を介して、教室Ｘの音声通信制御装置４０に対し制御信号Ｃ（ｔ２，ｓＹ）；Ｃ（ｓＹ，ｔ２）が、その他の教室の音声通信制御装置４０に対し制御信号Ｃ（ｔ２，ｔ２）がそれぞれ送信される。これにより、図８の太線で示す経路により、任意教室の任意学習者の音声が教室１の教師端末２１に送出されると同時に、図８の点線で示す経路により、教室１の教師音声が当該学習者端末に送出されるので、学習者端末と教師端末の間で相互通話できる。
【００９３】
なお、ここでは教室１以外の教室に配置された単独の学習者端末Ｙと教室１の教師端末２１との音声通話を例にとって説明したが、制御信号Ｃ（ｔ２，ｓＹａ）；Ｃ（ｓＹａ，ｔ２）；Ｃ（ｓＹ，ｓＹａ）；Ｃ（ｓＹａ，ｓＹ）を教室Ｘの音声通信制御装置４０の制御信号に付加することにより、教室Ｘに属する学習者端末Ｙａを加えた３者間の相互通話も可能であるし、同様の手順で順次制御信号を付加することで３名以上の学習者を対象とすることもできる。
【００９４】
また、教室１内の各学習者端末７１と相互通話する場合は、音声通信制御装置４０に対して制御信号Ｃ（ｔ１，ｓＹ）；Ｃ（ｓＹ，ｔ１）等を送信することにより、直接教師端末２１と該当する学習者端末との間で音声を入出力させればよい。
【００９５】
また、図１における任意の教室の任意の学習者端末を学習者が操作すると、教室１の教師端末２１に対し通話要求が発行され、教室１の教師端末２１の操作画面（図４参照）において、当該学習者アイコンに通話要求マーク２４０が印されるよう構成しておく。そして、教室Ｘの学習者端末Ｙに通話要求マーク２４０が付与された状態でインカムアイコン２５３及びコールレスポンスアイコン２５４を操作すると、教師端末２１よりＬＡＮケーブル１０５及びネットワーク装置５０を介して、教室１の音声通信制御装置４０に対し制御信号Ｃ（ｔ１，ｔ２）；Ｃ（ｔ２，ｔ１）が送信される。また同時に、ＬＡＮケーブル１０５、ネットワーク装置５０及びルータ装置５１を介して、教室Ｘの音声通信制御装置４０に対し制御信号Ｃ（ｔ２，ｓＹ）；Ｃ（ｓＹ，ｔ２）が、その他の教室の音声通信制御装置４０に対し制御信号Ｃ（ｔ２，ｔ２）がそれぞれ送信される。これにより、任意教室の任意学習者の音声が教室１の教師端末２１に送出されると同時に教室１の教師端末２１からの教師音声が当該学習者端末に送出されるので、任意の学習者端末と教室１の教師端末２１との間で相互通話できる。
【００９６】
なお、ここでは教室１以外の教室に配置された単独の学習者端末Ｙと教室１の教師端末との学習者自らの意思による音声通話を例にとって説明したが、制御信号Ｃ（ｔ２，ｓＹａ）；Ｃ（ｓＹａ，ｔ２）；Ｃ（ｓＹ，ｓＹａ）；Ｃ（ｓＹａ，ｓＹ）を教室Ｘの音声通信制御装置４０の制御信号に付加することにより、教室Ｘに属する学習者端末Ｙａを加えた３者間の相互通話も可能であるし、同様の手順で順次制御信号を付加することで３名以上の学習者を対象とすることもできる。
【００９７】
また、教室１内の各学習者端末７１との相互通話をする場合は、音声通信制御装置４０に対して制御信号Ｃ（ｔ１，ｓＹ）；Ｃ（ｓＹ，ｔ１）等を送信することにより、直接教師端末２１と該当する学習者端末との間で音声を入出力させればよい。
【００９８】
図９はモデルアイコン操作時の音声信号の流れの一例を示す動作説明図である。図１における教室１の教師端末２１の操作画面（図４参照）において、教室Ｘの学習者端末Ｙに指定学習者マーク２３０を付与した状態でモデルアイコン２５５を操作すると、教師端末２１よりＬＡＮケーブル１０５及びネットワーク装置５０を介して、教室１の音声通信制御装置４０に対し制御信号Ｃ（ｔ１，ｔ２，ｓ１，…，ｓｎ）；Ｃ（ｔ２，ｔ１，ｓ１，…，ｓｎ）が送信される。また同時に、ＬＡＮケーブル１０５、ネットワーク装置５０及びルータ装置５１を介して、教室Ｘの音声通信制御装置４０に対し制御信号Ｃ（ｔ２，ｓ１，…，ｓｎ）；Ｃ（ｓＹ，ｔ２，ｓ１，…，ｓＹ−１，ｓＹ＋１，…，ｓｎ）が、その他の教室の音声通信制御装置４０に対し制御信号Ｃ（ｔ２，ｔ２）がそれぞれ送信される。これにより、図９の太線で示す経路により、任意の教室Ｘの任意学習者の音声が教師端末に送出されると同時に、図９の点線で示す経路により、教室１の教師音声が当該学習者端末に送出されるので、任意の学習者端末と教師端末との間での相互通話内容を教室Ｘ内の他の全学習者端末に送出することができる。
【００９９】
なお、ここでは教室１以外の教室に配置された単独の学習者端末Ｙと教室１の教師端末２１との音声通話を例にとって説明したが、制御信号Ｃ（ｓＹａ，ｔ２，ｓ１，，…，ｓＹａ−１，ｓＹａ＋１，…，ｓｎ）を教室Ｘの音声通信制御装置４０の制御信号に付加することにより、教室Ｘに属する学習者端末Ｙａを加えた３者間の相互通話に拡張することもできるし、同様の手順で順次制御信号を付加することで３名以上の学習者を対象とすることもできる。
【０１００】
また、教室１内の学習者端末との音声通話を聴取させる場合は、音声通信制御装置４０に対して制御信号Ｃ（ｔ１，ｓ１，…，ｓｎ）；Ｃ（ｓＹ，ｔ１，ｓ１，…，ｓＹ−１，ｓＹ＋１，…，ｓｎ）を送信することにより、直接教師端末２１と当該学習者端末の音声を各端末に入出力させればよい。
【０１０１】
また、教室１の教師端末２１の操作画面（図４参照）において、教室Ｘの学習者端末Ｙに通話要求マーク２４０が付与された状態でモデルアイコン２５５及びコールレスポンスアイコン２５４を操作すると、教師端末２１よりＬＡＮケーブル１０５及びネットワーク装置５０を介して、教室１の音声通信制御装置４０に対し制御信号Ｃ（ｔ１，ｔ２，ｓ１，…，ｓｎ）；Ｃ（ｔ２，ｔ１，ｓ１，…，ｓｎ）が送信される。また同時に、ＬＡＮケーブル１０５、ネットワーク装置５０及びルータ装置５１を介して、教室Ｘの音声通信制御装置４０に対し制御信号Ｃ（ｔ２，ｓ１，…，ｓｎ）；Ｃ（ｓＹ，ｔ２，ｓ１，…，ｓＹ−１，ｓＹ＋１，…，ｓｎ）が、その他の教室の音声通信制御装置４０に対し制御信号Ｃ（ｔ２，ｔ２）がそれぞれ送信される。これにより、任意教室の任意学習者の音声が教室１の教師端末に送出されると同時に、教師音声を当該学習者端末に送出されるので、任意の学習者端末と教師端末との間での相互通話内容を教室Ｘ内の他の全学習者端末に送出することができる。
【０１０２】
なお、ここでは教室１以外の教室に配置された単独の学習者端末Ｙと教室１の教師端末との学習者自らの意思による音声通話を例にとって説明したが、制御信号Ｃ（ｓＹａ，ｔ２，ｓ１，…，ｓＹａ−１，ｓＹａ＋１，…，ｓｎ）を教室Ｘの音声通信制御装置４０の制御信号に付加することにより、教室Ｘに属する学習者端末Ｙａを加えた３者間の相互通話に拡張することもできるし、同様の手順で順次制御信号を付加することで３名以上の学習者を対象とすることもできる。
【０１０３】
また、教室１内の学習者端末との音声通話を聴取させる場合は、音声通信制御装置４０に対して制御信号Ｃ（ｔ１，ｓ１，…，ｓｎ）；Ｃ（ｓＹ，ｔ１，ｓ１，…，ｓＹ−１，ｓＹ＋１，…，ｓｎ）等を送信することにより、直接教師端末２１と当該学習者端末の音声を各端末に入出力させればよい。
【０１０４】
さらに、任意の教師端末２１から図４に示す教師端末２１の操作画面において音声教材送出切替ボタン２８０をＯＮにすると、教師端末２１よりＬＡＮケーブル１０５及びネットワーク装置５０を介して制御信号Ａ（１，ｔ２，ｓ１，ｓ２，…，ｓｎ）が教室１の音声通信制御装置４０に送信される。そして、予め対象音響機器切替ボタン２７０の操作により指定され、対象音響機器表示部２６０に表示されている音響機器に対応する、音声教材送出切替スイッチ４２の音響機器ｐ１音声入力に接続された音声出力スイッチＳＷｐ１−ｓ１、ＳＷｐ１−ｓ２、…、ＳＷｐ１−ｓｎ及びＳＷｐ１−ｔ２が同時にＯＮとなる。例えば、音響機器ｐ１音声入力に対応する音響機器としてＶＴＲが指定されている場合は、教室１内の全学習者端末と教師端末ｔ２出力端子に教材として指定された音響機器であるＶＴＲの音声が出力される。
【０１０５】
ここで、制御信号Ａ（ｘ，ｙ１，…，ｙｎ）は、図３（Ｂ）における音声教材送出切替スイッチＳＷｐｘ−ｙ１，…，ＳＷｐｘ−ｙｎを同時にＯＮする旨の制御指示を示す。
【０１０６】
同時に教室１の教師端末２１よりＬＡＮケーブル１０５、ネットワーク装置５０及びルータ装置５１を介して別の制御信号Ｃ（ｔ２，ｓ１，ｓ２，…，ｓｎ）が教室２，３，…，Ｎの音声通信制御装置４０に送信される。これにより、各々の教室の音声通信制御装置４０において、教師端末ｔ２音声入力に対応する音声入力スイッチＳＷｔ２−ｓ１、ＳＷｔ２−ｔ２、ＳＷｔ２−ｓ１、…、ＳＷｔ２−ｓｎが同時にＯＮとなる。そして、教師端末入力端子９２より教師端末ｔ２音声入力に入力された音声、すなわち指定された音響機器であるＶＴＲからの教材音声が当該教室内の全学習者端末に送出される。
【０１０７】
なお、ここでは全教室の全学習者端末へ教材音声を送出することを例にとって説明したが、各教室へ送出する制御信号ＡまたはＣの第２項以降を適宜変更することにより、任意の教室の１ないし複数の学習者に限定して教材音声を送出することも可能である。
【０１０８】
以上のように本発明の第１実施形態によれば、任意の教室の音声通信制御装置４０を前後の他の教室の音声通信制御装置４０とアナログ回線１０４でリング状に接続し、教師が任意の教室の教師端末２１を操作することにより、全ての教室内に配置され相互接続された音声通信制御装置４０を同時に制御して１ないし複数の学習者との所望の音声コミュニケーションや音声教材送出を行うことができ、単独の教師による複数教室の合同授業を行えるという効果を有する。
【０１０９】
（第２実施形態）
図１０は本発明の第２実施形態に係る授業支援システムの構成を示したブロック図、図１１は第２実施形態の授業支援システムにおける音声通信制御装置の接続状態を示した構成説明図である。但し、図１に示した第１実施形態と同様の部分は同一符号を付して説明し、かつ、その説明を適宜省略する。
【０１１０】
第２実施形態の授業支援システムでは、複数の教室１，２，…，Ｎにおける授業支援装置は、第１実施形態と同様の構成となっている。すなわち、教師端末２１と複数の学習者端末７１はネットワーク装置５０を介してＬＡＮケーブル１０５により相互に接続される。また、教師端末２１にはアナログ線１０４で音声入出力装置１１が接続され、各学習者端末７１にはそれぞれアナログ線１０４で音声入出力装置６１が接続されており、これらの教師用の音声入出力装置１１及び学習者用の各音声入出力装置６１は音声通信制御装置４０を介してアナログ線１０４で相互に接続されている。また、教師用の音声入出力装置１１及び学習者用の各音声入出力装置６１には、ヘッドセット１０１が接続されている。
【０１１１】
第２実施形態の第１実施形態と異なるところは、教室１の音声通信制御装置４０と他の教室の音声通信制御装置４０とのアナログ線１０４による接続の仕方にある。すなわち、図１１（Ａ）に示すように、音声通信制御装置４０には少なくともＮ個の教師端末入力端子９１〜９Ｎ及び教師端末出力端子８１〜８Ｎが設けられており、教室１，２，…，Ｎ間は教師端末入出力部の未使用部分を利用して教室１と他の教室２〜Ｎとがいわゆるスター型に接続されている。この場合、アナログ線１０４を介して教室１の教師端末入出力端子８２，９２と教室２の教師端末入出力端子８２，９２、教室１の教師端末入出力端子８３，９３と教室３の教師端末入出力端子８２，９２、…、教室１の教師端末入出力端子８Ｎ，９Ｎと教室Ｎの教師端末入出力端子８２，９２という対応の仕方で相互接続され、教室１の音声通信制御装置４０と残りの全ての教室の音声通信制御装置４０とが直接アナログ線１０４を介して接続されている。
【０１１２】
また、図１１（Ｂ）に示すように、教室２〜Ｎにおける音声通信制御装置４０は、教師端末出力端子８２，教師端末入力端子９２がアナログ線１０４を介して教室１における音声通信制御装置４０の教師端末入力端子９２，教師端末出力端子８２にそれぞれ接続されている以外は、図２（Ｂ）に示した第１実施形態の接続状態と同様である。
【０１１３】
なお、音声通信制御装置４０のスイッチ構成及び教師端末２１の画面構成は第１実施形態で示した図３、図４の構成と同様である。
【０１１４】
次に、以上のように構成された第２実施形態の授業支援システムについて、その動作を説明する。教師は教室１の教師端末で操作を行う。
【０１１５】
図１０における教室１の教師端末２１の操作画面（図４参照）において、オールコールアイコン２５１を教師が操作すると、教師端末２１よりＬＡＮケーブル１０５及びネットワーク装置５０を介して制御信号Ｃ（ｔ１，ｔ２，…，ｔＮ，ｓ１，…，ｓｎ）が音声通信制御装置４０に送信される。これにより、教室１の音声通信制御装置４０では、図３（Ａ）における教師端末ｔ１音声入力に接続された音声入力スイッチＳＷｔ１−ｔ２、ＳＷｔ１−ｔ３、ＳＷｔ１−ｓ１、ＳＷｔ１−ｓｎが同時にＯＮとなる。そして、教師端末２１からの教師音声が教室１内の全学習者端末７１送出されるとともに、教師端末ｔ２音声出力〜教師端末ｔＮ音声出力に接続された教師端末出力端子８２〜８Ｎより教室２〜Ｎの音声通信制御装置４０に送出される。
【０１１６】
同時に教室１の教師端末２１よりＬＡＮケーブル１０５、ネットワーク装置５０及びルータ装置５１を介して別の制御信号Ｃ（ｔ２，ｓ１，…，ｓｎ）が教室２，３，…，Ｎの音声通信制御装置４０に送信される。これにより、各々の教室の音声通信制御装置４０において、教師端末ｔ２音声入力に対応する音声入力スイッチＳＷｔ２−ｓ１、ＳＷｔ２−ｓ２、…、ＳＷｔ２−ｓｎが同時にＯＮとなる。そして、各教室において教師端末入力端子９２より教師端末ｔ２音声入力に入力された教室１からの教師音声が当該教室内の全学習者端末７１に送出され、教師音声を全教室の全学習者端末７１へ送出することができる。
【０１１７】
なお、ここでは全教室の全学習者へ教師音声を送出することを例にとって説明したが、各教室へ送出する制御信号Ｃの第２項以降を適宜変更することにより、任意教室の１ないし複数の学習者に限定して教師音声を送出することも可能である。
【０１１８】
また、図１０における教室１の教師端末２１の操作画面（図４参照）において、教室Ｘａの学習者端末Ｙａ及び教室Ｘｂの学習者端末Ｙｂの両者に指定学習者マークを付与した状態でモニタアイコン２５２を操作すると、教室１の教師端末２１よりＬＡＮケーブル１０５及びネットワーク装置５０及び必要に応じてルータ装置５１を介して、教室１の音声通信制御装置４０に対し制御信号Ｃ（ｔＸａ，ｔ１）；Ｃ（ｔＸｂ，ｔ１）が送信される。また同時に、ＬＡＮケーブル１０５、ネットワーク装置５０及びルータ装置５１を介して、教室Ｘａの音声通信制御装置４０に対し制御信号Ｃ（ｓＹａ，ｔ２）が、教室Ｘｂの音声通信制御装置４０に対し制御信号Ｃ（ｓＹｂ，ｔ２）がそれぞれ送信される。これにより、任意の教室に配置された２名の学習者の音声を教師が聴取することができる。
【０１１９】
なお、ここでは教室１以外の教室に配置された２名の学習者端末の音声を聴取することを例にとって説明したが、制御信号Ｃ（ｔＸｃ，ｔ１）を教室１の音声通信制御装置４０の制御信号に、Ｃ（ｓＹｃ，ｔ２）を教室Ｘの音声通信制御装置４０の制御信号にそれぞれ付加することにより、聴取対象として学習者端末Ｙａ，Ｙｂに学習者端末Ｙｃを増やすことも可能であるし、逆の手順で減らすことも可能である。
【０１２０】
また、教室１内の各学習者端末７１の音声を聴取する場合は、音声通信制御装置４０に対して制御信号Ｃ（ｓＹ，ｔ１）等を送信することにより、直接教師端末２１に該当する学習者端末の音声を出力させればよい。
【０１２１】
また、図１０における教室１の教師端末２１の操作画面（図４参照）において、教室Ｘａの学習者端末Ｙａ及び教室Ｘｂの学習者端末Ｙｂの両者に指定学習者マークを付与した状態でインカムアイコン２５３を操作すると、教室１の教師端末２１よりＬＡＮケーブル１０５及びネットワーク装置５０を介して、教室１の音声通信制御装置４０に対し制御信号Ｃ（ｔ１，ｔＸａ，ｔＸｂ）；Ｃ（ｔＸａ，ｔ１，ｔＸｂ）；Ｃ（ｔＸｂ，ｔ１，ｔＸａ）が送信される。また同時に、ＬＡＮケーブル１０５、ネットワーク装置５０及びルータ装置５１を介して、教室Ｘの音声通信制御装置４０に対し制御信号Ｃ（ｔ２，ｓＹａ）；Ｃ（ｓＹａ，ｔ２）が、教室Ｘｂの音声通信制御装置４０に対し制御信号Ｃ（ｔ２，ｓＹｂ）；Ｃ（ｓＹｂ，ｔ２）がそれぞれ送信される。これにより、任意の２つの学習者端末と教師端末との３者間で相互通話できる。
【０１２２】
なお、ここでは教室１以外の教室に配置された２つの学習者端末Ｙａ，Ｙｂと教室１の教師端末２１との音声通話を例にとって説明したが、制御信号Ｃ（ｔ１，ｔＸｃ）；Ｃ（ｔＸａ，ｔＸｃ）；Ｃ（ｔＸｂ，ｔＸｃ）；Ｃ（ｔＸｃ，ｔ１，ｔＸａ，ｔＸｂ）を教室１の音声通信制御装置４０の制御信号に、Ｃ（ｓＹｃ，ｔ２）；Ｃ（ｔ２，ｓＹｃ）を教室Ｘｃの音声通信制御装置４０の制御信号に付加することにより、教室Ｘｃに属する学習者端末Ｙｃを加えた４者間の相互通話も可能であるし、同様の手順で順次制御信号を付加、削除することで４名以上の学習者や単独の学習者を対象とすることもできる。
【０１２３】
また、教室１内の教師端末２１と各学習者端末７１との間で相互通話する場合は、音声通信制御装置４０に対して制御信号Ｃ（ｔ１，ｓＹ）；Ｃ（ｓＹ，ｔ１）を送信することにより、直接教師端末２１と該当する学習者端末との間で音声を入出力させればよい。
【０１２４】
さらに、学習者自らの意思による教師との相互通話についても、図１０における教室１の教師端末２１の操作画面（図４参照）において、任意の学習者端末に通話要求マーク２４０が付与された状態でインカムアイコン２５３及びコールレスポンスアイコン２５４を操作することにより、上記と同様の制御信号が発行されるよう構成すれば実現可能である。
【０１２５】
また、図１０における教室１の教師端末２１の操作画面（図４参照）において、教室Ｘａの学習者端末Ｙａ及び教室Ｘｂの学習者端末Ｙｂの両者に指定学習者マークを付与した状態でモデルアイコン２５５を操作すると、教室１の教師端末２１よりＬＡＮケーブル１０５及びネットワーク装置５０を介して、教室１の音声通信制御装置４０に対し制御信号Ｃ（ｔ１，ｔ２，ｔ３，…，ｔＮ，ｓ１，ｓ２，…，ｔｎ）；Ｃ（ｔＸａ，ｔ１，ｔ２，ｔ３，…，ｔＮ，ｓ１，ｓ２，…，ｔｎ）；Ｃ（ｔＸｂ，ｔ１，ｔ２，ｔ３，…，ｔＮ，ｓ１，ｓ２，…，ｔｎ）が送信される。また同時に、ＬＡＮケーブル１０５、ネットワーク装置５０及びルータ装置５１を介して、教室Ｘの音声通信制御装置４０に対し制御信号Ｃ（ｔ２，ｓ１，…，ｓｎ）；Ｃ（ｓＹａ，ｔ２，ｓ１，…，ｓＹａ−１，ｓＹａ＋１，…，ｓｎ）が、教室Ｘｂの音声通信制御装置４０に対し制御信号Ｃ（ｔ２，ｓ１，…，ｓｎ）；Ｃ（ｓＹｂ，ｔ２，ｓ１，…，ｓＹｂ−１，ｓＹｂ＋１，…，ｓｎ）が、他の教室の音声通信制御装置４０に対し制御信号Ｃ（ｔ２，ｓ１，…，ｓｎ）がそれぞれ送信される。これにより、任意の２つの学習者端末と教師端末との間の相互通話内容を全教室内の他の学習者端末に送出することができる。
【０１２６】
なお、ここでは教室１以外の教室に配置された２つの学習者端末Ｙａ，Ｙｂと教室１の教師端末２１との音声通話を例にとって説明したが、制御信号Ｃ（ｔＸｃ，ｔ１，ｔ２，…，ｔｎ，ｓ１，ｓ２，…，ｓｎ）を教室１の音声通信制御装置の制御信号に、制御信号Ｃ（ｓＹｃ，ｔ２，ｓ１，ｓ２，…，ｓＹｃ−１，ｓＹｃ＋１，ｓｎ）を教室Ｘｃの音声通信制御装置４０の制御信号に付加することにより、教室Ｘｃに属する学習者端末Ｙｃを加えた４者間の相互通話に拡張することもできるし、同様の手順で順次制御信号を付加、削除することで４名以上の学習者や単独の学習者を対象とすることもできる。
【０１２７】
また、教室１内の教師端末２１と各学習者端末７１との相互音声通話を残りの学習者に聴取させる場合は、音声通信制御装置４０に対して制御信号Ｃ（ｔ１，ｔ２，…，ｔＮ，ｓ１，…，ｓｎ）；Ｃ（ｓＹ，ｔ１，ｔ２，…，ｔＮ，ｓ１，…，ｓＹ−１，ｓＹ＋１，…，ｓｎ）を送信することにより、直接教師端末２１と当該学習者端末との間の相互音声通話を残りの全学習者端末に出力させればよい。
【０１２８】
さらに、学習者自らの意思による教師との相互通話の他の学習者への送出についても、図１０における教室１の教師端末２１の操作画面（図４参照）において、任意の学習者端末に通話要求マーク２４０が付与された状態でモデルアイコン２５５及びコールレスポンスアイコン２５４を操作することにより、上記と同様の制御信号が発行されるよう構成すれば実現可能である。
【０１２９】
また、任意の教師端末２１から図４に示す教師端末２１の操作画面において音声教材送出切替ボタン２８０をＯＮにすると、教師端末２１よりＬＡＮケーブル１０５及びネットワーク装置５０を介して制御信号Ａ（１，ｔ２，ｔ３，…，ｔＮ，ｓ１，ｓ２，…，ｓｎ）が教室１の音声通信制御装置４０に送信される。また同時に、制御信号Ｃ（ｔ２，ｓ１，ｓ２，…，ｓｎ）が他の教室の音声通信制御装置４０にそれぞれ送信される。そして、予め対象音響機器切替ボタン２７０の操作により指定され、対象音響機器表示部２６０に表示されている音響機器に対応する、音声教材送出切替スイッチ４２の音響機器ｐ１音声入力に接続された音声出力スイッチＳＷｐ１−ｓ１、ＳＷｐ１−ｓ２、…、ＳＷｐ１−ｓｎ及びＳＷｐ１−ｔ２が同時にＯＮとなる。例えば、音響機器ｐ１音声入力に対応する音響機器としてＶＴＲが指定されている場合は、教室１〜Ｎ内の全学習者端末に教材として指定された音響機器であるＶＴＲの音声が出力される。
【０１３０】
なお、ここでは全教室の全学習者端末へ教材音声を送出することを例にとって説明したが、各教室へ送出する制御信号ＡないしＣの第２項以降を適宜変更することにより、任意の教室の１ないし複数の学習者に限定して教材音声を送出することも可能である。
【０１３１】
以上のように本発明の第２実施形態によれば、教室１の音声通信制御装置４０と他の教室の音声通信制御装置４０とをアナログ回線１０４でスター状に直接接続し、教師が教室１の教師端末２１を操作することにより、任意の教室の１ないし複数の学習者との所望の音声コミュニケーションや音声教材送出を行うことができ、第１実施形態よりもさらに柔軟に単独の教師による複数教室の合同授業を行えるという効果を有する。
【０１３２】
また、上記した第１及び第２実施形態において、教室間のアナログ線１０４による接続を電話回線等の公衆回線に、ルータ装置５１をモデム等を経由した別の公衆回線に置き換えることにより、単独の教師による空間的に離れた複数拠点の合同授業を行うことも可能である。
【０１３３】
さらに、上記第１及び第２実施形態において、音声通信制御装置４０と相当の原理で動作する映像通信制御装置を装備し、音声通信制御装置４０と同時に制御を行うことで、話者のカメラ映像等の映像を同期させたコミュニケーションを行うことも可能である。
【０１３４】
なお、本発明は上記実施形態に限定されることなく、その要旨を逸脱しない範囲において、他の種々の形態によっても実施することができる。上記実施形態では、教師端末２１及び各学習者端末７１をパーソナルコンピュータで構成した例で説明したが、例えば携帯型通信端末を用いても同様に実施可能であるし、専用の制御装置でも実施可能である。また、各音声送受信経路をアナログ線１０４で構成した例で説明したが、適宜量子化装置及び量子化復号装置等を経由してデジタル化し、ネットワーク装置等によるデジタル接続によって音声情報を送受信する構成によっても同様に実施可能であり、さらにそれらのデジタル接続をワイヤレス化することも可能である。また、教室間のデジタル通信をルータ装置５１を経由する例で示したが、ルータ装置５１を省略して複数の教室の全端末を１つのネットワーク装置に接続する方式でも実現可能である。
【０１３５】
【発明の効果】
以上説明したように本発明によれば、複数の教室や空間的に離れた複数拠点間での単独の教師による合同授業を行うことが可能な授業支援システムを提供することができる。
【図面の簡単な説明】
【図１】本発明の第１実施形態に係る授業支援システムの構成を示したブロック図
【図２】第１実施形態に係る音声通信制御装置の接続状態を示した構成説明図
【図３】第１実施形態に係る音声通信制御装置の音声入出力切替スイッチ及び音声教材送出切替スイッチの構成を示した構成説明図
【図４】第１実施形態に係る教師端末の操作画面例を示した説明図
【図５】第１実施形態に係る教室１における音声通信制御装置の音声入出力切替スイッチの切り替え動作例を示した動作説明図
【図６】第１実施形態に係る教室２〜Ｎにおける音声通信制御装置の音声入出力切替スイッチの切り替え動作例を示した動作説明図
【図７】第１実施形態に係る授業支援システムで教師が学習者の音声を聴取するモニタアイコンを操作した場合の音声入出力経路例を示した動作説明図
【図８】第１実施形態に係る授業支援システムで教師と学習者が相互に音声通話をするインカムアイコンを操作した場合の音声入出力経路例を示した動作説明図
【図９】第１実施形態に係る授業支援システムで教師と学習者が相互に音声通話をし、かつこの通話を他の全ての学習者に聞かせるモデルアイコンを操作した場合の音声入出力経路例を示した動作説明図
【図１０】本発明の第２実施形態に係る授業支援システムの構成を示したブロック図
【図１１】第２実施形態に係る音声通信制御装置の接続状態を示した構成説明図
【図１２】従来の語学学習システムの構成例を示したブロック図
【符号の説明】
１１、６１　音声入出力装置
２１　教師端末
４０　音声通信制御装置
４１　音声入出力切替スイッチ
４２　音声教材送出切替スイッチ
５０　ネットワーク装置
５１　ルータ装置
７１　学習者端末
８１〜８ｎ　教師端末出力端子
９１〜９ｎ　教師端末入力端子
１０１　ヘッドセット
１０４　アナログ線
１０５　ＬＡＮケーブル
１１１〜１１ｎ　学習者端末出力端子
１２１〜１２ｎ　学習者端末入力端子
２１０　教室切替部
２２０　学習者アイコン
２３０　指定学習者マーク
２５１〜２５５　制御指示ボタン
２６０　対象音響機器表示部
２７０　対象音響機器切替ボタン
２８０　音声教材送出切替ボタン
【図１】
2004126209.tif 000003
【図２】
2004126209.tif 000004
【図３】
2004126209.tif 000005
【図４】
2004126209.tif 000006
【図５】
2004126209.tif 000007
【図６】
2004126209.tif 000008
【図７】
2004126209.tif 000009
【図８】
2004126209.tif 000010
【図９】
2004126209.tif 000011
【図１０】
2004126209.tif 000012
【図１１】
2004126209.tif 000013
【図１２】
2004126209.tif 000014